【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】  （ｉ）各ケーンが長手方向軸線、第１端および第２端を有すると共に、少なくとも幾本かのケーンの各々がケーンの長手方向軸線に平行でかつケーンの第１端からケーンの第２端に延びる孔を有するキャピラリからなる複数の細長いケーンを設ける工程と、
（ｉｉ）前記ケーンをそれらの長手方向軸線が互いに実質的に平行で且つスタックの長手方向軸線と実質的に平行に配した状態で前記ケーンをスタックに形成し、また、前記ケーンを溶け合わせることにより、プリフォームを形成する工程と、
（ｉｉｉ）前記孔の少なくとも一つを第１圧力の流体源に連通させると共に前記孔の回りの圧力を第２圧力に維持しつつ、前記プリフォームをファイバに線引きする工程とを備え、前記線引き工程中、前記第１圧力にある孔が、圧力差がない場合にとり得る寸法と異なる寸法になる
ことを特徴とするフォトニック結晶ファイバの製造方法。
【請求項２】  少なくともケーンの長さの一部分にわたって前記ケーンのスタックを第１端および第２端を有するチューブで包囲し、また、前記チューブの内部を前記第２圧力に維持する請求項１に記載のフォトニック結晶ファイバの製造方法。
【請求項３】  前記第１圧力にある孔の少なくとも一つの膨張を前記チューブで制限する請求項２に記載のフォトニック結晶ファイバの製造方法。
【請求項４】  前記チューブが、圧力差なしの場合に受け得る変形と大きく異なる変形を受けない請求項２に記載のフォトニック結晶ファイバの製造方法。
【請求項５】  線引き工程中、（Ａ）前記チューブを前記第１端の近くで排気可能構造の第１端にシールすると共に、前記チューブの前記第２端を前記排気可能構造内に配し、（Ｂ）前記キャピラリの少なくとも幾本かを前記排気可能構造内に通すと共に、その第２端にシールし、（Ｃ）第２内圧を発生させるため前記排気可能構造を実質的に排気する請求項２に記載のフォトニック結晶ファイバの製造方法。
【請求項６】  前記排気構造が金属チューブである請求項５に記載のフォトニック結晶ファイバの製造方法。
【請求項７】  前記プリフォームが、任意の長手方向軸線のまわりに最大で２重回転対称を有する請求項１に記載のフォトニック結晶ファイバの製造方法。
【請求項８】  線引きされるファイバと共に線引きされ且つ前記線引きされるファイバの一部分を形成するチューブ内に、前記プリフォームを入れる請求項１に記載のフォトニック結晶ファイバの製造方法。
【請求項９】  前記線引き中、前記孔の少なくとも幾つかの膨張を制御する請求項１に記載のフォトニック結晶ファイバの製造方法。
【手続補正２】
【補正対象書類名】明細書
【補正対象項目名】０００８
【補正方法】変更
【補正の内容】
【０００８】
【発明が解決しようとする課題】
標準ファイバでの複屈折の発生に用いられる方法、従って、標準の偏光保持ファイバを作るのに用いられる方法は、一般には、フォトニック結晶ファイバでの使用には直接には好適しない。
本発明の目的は、複屈折性のファイバなどのフォトニック結晶ファイバを製造する方法であって、製造されるファイバの構造を制御可能な方法を提供することにある。
【手続補正３】
【補正対象書類名】明細書
【補正対象項目名】０００９
【補正方法】変更
【補正の内容】
【０００９】
【課題を解決するための手段】
本発明の製造方法によれば、長手方向孔とガイドコアとの配列を有したバルク材料を備えるフォトニック結晶ファイバが提供され、ここで、ファイバは、長手方向軸線（すなわち任意の長手方向軸線）のまわりに最大で２重の回転対称を有し、対称の欠如の結果としてファイバが複屈折性を示す。
【手続補正４】
【補正対象書類名】明細書
【補正対象項目名】００１７
【補正方法】変更
【補正の内容】
【００１７】
本発明の一実施形態において、本発明の方法は、複屈折フォトニック結晶ファイバの製造方法である。
この方法は、（ａ）ケーンのスタックを形成する工程と、（ｂ）ケーンのスタックを複屈折ファイバに線引きする工程とを備え、工程（ａ）において、ケーンの少なくとも幾つかはキャピラリであり、前記スタックは、ファイバ内にコア領域を形成するように配されたケーンとファイバ内にクラッド領域を形成するように配されたケーンとを含み、工程（ｂ）において、複屈折ファイバは任意の長手方向軸線に関して最大で２重の回転対称を有する。
【手続補正５】
【補正対象書類名】明細書
【補正対象項目名】００２３
【補正方法】変更
【補正の内容】
【００２３】
上記方法のいずれかにおいて、ケーンのスタックの回転対称は好ましくは２重の回転対称である。
本発明によれば、フォトニック結晶ファイバの製造方法が提供され、この方法は、（ｉ）各ケーンが長手方向軸線、第１端および第２端を有すると共に、少なくとも幾本かのケーンの各々が長手方向軸線に平行でかつケーンの第１端からケーンの第２端に延びる孔を有するキャピラリからなる複数の細長いケーンを設ける工程と、（ｉｉ）ケーンをそれらの長手方向軸線が互いに実質的に平行で且つスタックの長手方向軸線と実質的に平行に配した状態でケーンをスタックに形成し、また、ケーンを溶け合わせることにより、プリフォームを形成する工程と、（ｉｉｉ）前記孔の少なくとも一つを第１圧力の流体源に連通させると共に前記孔の回りの圧力を第２圧力に維持しつつ、前記プリフォームをファイバに線引きする工程とを備え、前記線引き工程中、前記第１圧力にある孔は、圧力差がない場合にとる寸法と異なる寸法になることを特徴とする。
【手続補正６】
【補正対象書類名】明細書
【補正対象項目名】００２５
【補正方法】変更
【補正の内容】
【００２５】
好ましくは、少なくともケーンの長さの一部分にわたってケーンのスタックを第１端および第２端を有するチューブで包囲し、このチューブの内部は第２圧力に維持される。
「空気孔の膨張」との語句が、圧力差がない場合にとり得るサイズよりも（キャピラリの長手方向軸線に対して垂直な断面で）サイズの大きい空気孔の生成を指していることが後で明らかになる。実際、線引きにより作られたファイバは、ファイバ製造のためのプリフォーム（ここではケーンのスタック）よりも全断面積が極めて小さい。また、本発明での空気孔は、一般には、絶対的な語義において、「膨張」するものではない。
【手続補正７】
【補正対象書類名】明細書
【補正対象項目名】００２７
【補正方法】変更
【補正の内容】
【００２７】
好ましくは、このチューブは、第１圧力にある孔の少なくとも一つの膨張を制限する。
好ましくは、プリフォームは、任意の長手方向軸線のまわりに最大で２重の回転対称を有する。その様なスタックは、複屈折ファイバの線引きに使用可能である。
【手続補正８】
【補正対象書類名】明細書
【補正対象項目名】００２８
【補正方法】変更
【補正の内容】
【００２８】
好ましくは、線引き工程中、
（Ａ）チューブを第１端の近くで排気可能構造の第１端にシールすると共にチューブの第２端を排気可能構造内に配し、
（Ｂ）キャピラリの少なくとも幾つかを排気可能構造内に通すと共にその第２端にシールし、
第２内圧を発生させるため前記排気可能構造は実質的に排気される。
好ましくは、排気可能構造は金属チューブである。
【手続補正９】
【補正対象書類名】明細書
【補正対象項目名】００３３
【補正方法】変更
【補正の内容】
【００３３】
図５〜図１３に示すファイバは、本発明の方法を用いて製造されるファイバである。
図５に示したファイバは、孔の格子１２０を有している。これらの孔は、正方形ではない矩形の頂点に配されている。ファイバ断面の中心の近くの領域１２５内の孔を除去することにより、格子の周期性が壊されている。軸ｘ（ピッチΛｘ）と平行な方向における孔の中心間距離（ピッチ）は、軸ｙに平行な方向でのピッチ（Λｙ）と異なる。図５に示したファイバは、矩形断面を有するように加工されたケーンを用いて製造可能である。図５の格子は２重の回転対称を有し、従って複屈折を示す。